(57)【要約】【課題】パチンコ台等の第１遊技台とパチスロ台等の第２遊技台から選択された異種の遊技台を任意に搭載可能とした遊技島を提供する。【解決手段】遊技島は、基枠の上部フレームの上面に木製の下側取付部材を着脱自在に固設し、基枠の上方に支柱を介して配置された上側枠の下部フレームの下面に木製の上側取付部材を着脱自在に固設し、下側取付部材と上側取付部材の間に遊技台の背部木枠を装着し固定する構成である。下部フレームと上側取付部材の間と、上部フレームと下側取付部材の間に対して、選択自在に介装される介装部材が設けられ、介装部材の介装位置を選択することにより、パチンコ台等の第１遊技台とパチスロ台等の第２遊技台から選択された異種の遊技台が任意に搭載される。【選択図】図９
2008132132.tif 000002
【特許請求の範囲】
【請求項１】
床面に設置した状態で水平方向に延びる基枠(4)と、基枠の上方に支柱(5)を介して該基枠と平行に配置された上側枠(6)を備え、基枠と上側枠の間に位置して正面側(S1)と背面側(S2)に配置される遊技台を相互に背合わせ状態で水平方向に列を構成して搭載した遊技島であり、
前記基枠(4)は、前記正面側の列と背面側の列をそれぞれ構成する遊技台の下面を支持する正面側上部フレーム(7a)と背面側上部フレーム(7b)を備えると共に、両フレームの内側面に開口両側縁を臨ませた溝形の遊技球貯留タンク本体(15)を設けており、前記上側枠(6)は、前記遊技台の上面を支持する正面側下部フレーム(19a)と背面側下部フレーム(19b)を備え、
基枠(4)の各上部フレーム(7)の上面に木製の下側取付部材(23)を着脱自在に固設し、上側枠(6)の各下部フレーム(19)の下面に木製の上側取付部材(24)を着脱自在に固設し、遊技台の背部木枠を前記下側取付部材(23)と上側取付部材(24)の間に装着するように構成されており、
前記正面側と背面側の列を構成する遊技台は、床面からの設置高さを高寸法Ｈ１に設計されたパチンコ台等の第１遊技台(2)と、床面からの設置高さを前記高寸法Ｈ１よりも低い低寸法Ｈ２に設計されたパチスロ台等の第２遊技台(3)とから選択自在とされ、
更に、遊技島(1)は、上下寸法Ｈａを前記高寸法Ｈ１と低寸法Ｈ２の差（Ｈ１−Ｈ２）となるように形成した介装部材(25)を備えており、該介装部材(25)は、選択された遊技台が第１遊技台(2)のときは基枠(4)の上部フレーム(7)と下側取付部材(23)との間に介装され、選択された遊技台が第２遊技台(3)のときは上側枠(6)の下部フレーム(19)と上側取付部材(24)の間に介装されるように、基枠(4)の上部フレーム(7)と上側枠(6)の下部フレーム(19)に対して選択自在に取付可能となるように構成されており、
前記介装部材(25)は、基枠(4)の上部フレーム(7)と下側取付部材(23)の間に介装されたとき、該介装部材(25)の内側面により前記タンク本体(15)の開口両側縁に連設される延長タンク壁(37)を形成して成ることを特徴とする異種遊技台を搭載可能な遊技島。
【請求項２】
基枠(4)の上部フレーム(7)と下側取付部材(23)の相互に貫通するボルト挿着孔(28)(29)を長手方向に所定ピッチ間隔Ｐ１で設け、上側枠(6)の下部フレーム(19)と上側取付部材(24)の相互に貫通するボルト挿着孔(30)(31)を長手方向に所定ピッチ間隔Ｐ２で設け、介装部材(25)に上下に貫通するボルト挿着孔(32)を長手方向に所定ピッチ間隔Ｐ３で設けており、全てのボルト挿着孔のピッチ間隔Ｐ１、Ｐ２、Ｐ３を等しくなるように構成して成ることを特徴とする請求項１に記載の異種遊技台を搭載可能な遊技島。
【発明の詳細な説明】
【技術分野】
【０００１】
本発明は、パチンコホール等に設置される遊技島に関し、パチンコ台等の第１遊技台とパチスロ台等の第２遊技台から選択された異種の遊技台を任意に搭載可能とした遊技島に関する。
【背景技術】
【０００２】
従来、「島」と称される遊技島は、床面に設置した状態で水平方向に延びる基枠と、基枠の上方に支柱を介して該基枠と平行に配置された上側枠を備え、基枠と上側枠の間に位置して正面側と背面側に配置される遊技台を相互に背合わせ状態で水平方向に列を構成して搭載するように構築されている。
【０００３】
前記基枠、上側枠、支柱、その他の骨組は、大工仕事により、木材の角材を枠組し釘を打ちつけて固定することにより遊技島を構築する。正面側と背面側の列を構成する遊技台は、それぞれ、基枠に固設された木製の下側取付部材と、上側枠に固設された上側取付部材の間に装着され、遊技台の背部木枠を下側取付部材と上側取付部材に釘を打ちつけることにより固着される。
【０００４】
ところで、一般的にパチンコホールの多くは、パチンコ台（本書では便宜上、第１遊技台と称する）の他に、パチスロ台（本書では便宜上、第２遊技台と称する）を営業に供しているが、相互に操作部分等の高さ位置が異なる関係上、製品規格として、パチンコ台等の第１遊技台は、床面からの設置高さが高寸法Ｈ１に設計され、パチスロ台等の第２遊技台は、床面からの設置高さが前記高寸法Ｈ１よりも低い低寸法Ｈ２に設計されている。また、パチンコ台等の第１遊技台とパチスロ台等の第２遊技台は、相互に幅寸法も異なるのが通常である。
【０００５】
このため、パチンコ台等の第１遊技台と、パチスロ台等の第２遊技台は、それぞれ専用の島に搭載されている。即ち、ある遊技島は、正面側と背面側の両方の何れにもパチンコ台等の第１遊技台の列を搭載しており、別の遊技島は、正面側と背面側の両方の何れにもパチスロ台等の第２遊技台の列を搭載している。つまり、大工仕事により遊技島を構築するとき、それがパチンコ台等の第１遊技台を搭載する島であるのか、パチスロ台等の第２遊技台を搭載する島であるのかによって、異なる骨組構造とした専用の島が構築される。
【０００６】
【特許文献１】特開２００５−２４５６５２号公報
【発明の開示】
【発明が解決しようとする課題】
【０００７】
上述のように従来は、パチンコ台等の第１遊技台に専用の島と、パチスロ台等の第２遊技台に専用の島を別々に設計した上で、大工仕事により構築しているため、作業効率が悪く、コスト高であるばかりか、納期に関しても憂慮すべき問題がある。
【０００８】
また、パチンコホールによっては、１つの遊技島に関して、正面側と背面側のうち、一方の列にはパチンコ台等の第１遊技台を搭載し、他方の列にはパチスロ台等の第２遊技台を搭載した複合的島を望むときがあり、その場合、従来では遊技島の枠組構造が複雑なものとなるので、大工仕事を熟練者に依存しなければならないという問題がある。
【課題を解決するための手段】
【０００９】
そこで、本発明が手段として構成したところは、床面に設置した状態で水平方向に延びる基枠と、基枠の上方に支柱を介して該基枠と平行に配置された上側枠を備え、基枠と上側枠の間に位置して正面側と背面側に配置される遊技台を相互に背合わせ状態で水平方向に列を構成して搭載した遊技島であり、前記基枠は、前記正面側の列と背面側の列をそれぞれ構成する遊技台の下面を支持する正面側上部フレームと背面側上部フレームを備えると共に、両フレームの内側面に開口両側縁を臨ませた溝形の遊技球貯留タンク本体を設けており、前記上側枠は、前記遊技台の上面を支持する正面側下部フレームと背面側下部フレームを備え、基枠の各上部フレームの上面に木製の下側取付部材を着脱自在に固設し、上側枠の各下部フレームの下面に木製の上側取付部材を着脱自在に固設し、遊技台の背部木枠を前記下側取付部材と上側取付部材の間に装着するように構成されており、前記正面側と背面側の列を構成する遊技台は、床面からの設置高さを高寸法Ｈ１に設計されたパチンコ台等の第１遊技台と、床面からの設置高さを前記高寸法Ｈ１よりも低い低寸法Ｈ２に設計されたパチスロ台等の第２遊技台とから選択自在とされ、更に、遊技島は、上下寸法Ｈａを前記高寸法Ｈ１と低寸法Ｈ２の差（Ｈ１−Ｈ２）となるように形成した介装部材を備えており、該介装部材は、選択された遊技台が第１遊技台のときは基枠の上部フレームと下側取付部材との間に介装され、選択された遊技台が第２遊技台のときは上側枠の下部フレームと上側取付部材の間に介装されるように、基枠の上部フレームと上側枠の下部フレームに対して選択自在に取付可能となるように構成されており、前記介装部材は、基枠の上部フレームと下側取付部材の間に介装されたとき、該介装部材の内側面により前記タンク本体の開口両側縁に連設される延長タンク壁を形成しており、これにより、パチンコ台等の第１遊技台とパチスロ台等の第２遊技台から選択された異種の遊技台を任意に搭載可能とした点にある。
【００１０】
本発明の好ましい実施形態において、基枠の上部フレームと下側取付部材の相互に貫通するボルト挿着孔は、長手方向に所定ピッチ間隔Ｐ１で設けられ、上側枠の下部フレームと上側取付部材の相互に貫通するボルト挿着孔は、長手方向に所定ピッチ間隔Ｐ２で設けられ、介装部材に上下に貫通するボルト挿着孔は、長手方向に所定ピッチ間隔Ｐ３で設けられており、全てのボルト挿着孔のピッチ間隔Ｐ１、Ｐ２、Ｐ３を等しくなるように構成している。
【発明の効果】
【００１１】
本発明によれば、遊技島１は、基枠４の上部フレーム７の上面に木製の下側取付部材２３を固設し、基枠４の上方に支柱を介して配置された上側枠６の下部フレーム１９の下面に木製の上側取付部材２４を固設し、下側取付部材２３と上側取付部材２４の間に遊技台の背部木枠を装着し固定するように形成した全体構造において、前記下部フレーム１９に対して上側取付部材２４を着脱自在に構成すると共に、前記上部フレーム７に対して下側取付部材２３を着脱自在に構成し、下部フレーム１９と上側取付部材２４の間と、上部フレーム７と下側取付部材２３の間に対して、選択自在に介装される介装部材２５を設けたものであるから、前記全体構造をそのままとして、介装部材２５の介装位置を選択するだけで、パチンコ台等の第１遊技台２とパチスロ台等の第２遊技台３から選択された異種の遊技台を任意に搭載することが可能になるという効果がある。
【００１２】
即ち、パチンコ台等の第１遊技台２は、床面からの設置高さを高寸法Ｈ１に設計され、パチスロ台等の第２遊技台３は、床面からの設置高さを前記高寸法Ｈ１よりも低い低寸法Ｈ２に設計されている。この点に関して、本発明の介装部材２５は、上下寸法Ｈａを前記高寸法Ｈ１と低寸法Ｈ２の差（Ｈ１−Ｈ２）となるように形成している。また、上部フレーム７の上面までの基枠４の高さ寸法と、下側取付部材２３の高さ寸法（上下方向の肉厚寸法）は、基枠４の上部フレーム７の上面に下側取付部材２３を固設したとき、床面から下側取付部材２３の上面までの高さが前記低寸法Ｈ２に一致するように構成されている。従って、前述のように、介装部材２５を上部フレーム７と下側取付部材２３の間に介装するだけで、上側取付部材２４と下側取付部材２３の間に第１遊技台２を装着すれば、該第１遊技台２の設置高さを前記高寸法Ｈ１に適合した状態で搭載することができる。反対に、介装部材２５を下部フレーム１９と下側取付部材２３の間に介装するだけで、上側取付部材２４と下側取付部材２３の間に第２遊技台３を装着すれば、該第２遊技台３の設置高さを前記低寸法Ｈ２に適合した状態で搭載することができる。
【００１３】
そして、本発明によれば、パチンコ台等の第１遊技台２を搭載するときは、必ず介装部材２５が基枠４の上部フレーム７と下側取付部材２３の間に介装される。この際、基枠４には正面側上部フレーム７ａと背面側上部フレーム７ｂの内側面に開口両側縁を臨ませた溝形の遊技球貯留タンク本体１５を設けており、パチンコ台の遊技球を充填するように構成され、該タンク容量は可及的大きく形成することが要望されている。そこで、介装部材２５の内側面により前記タンク本体１５の開口両側縁に連設される延長タンク壁３７を形成するように構成されている。従って、延長タンク壁３７によりタンク容量をタンク本体１５の開口縁を超えて拡張することができ、介装部材２５による一石二鳥的効果が可能になる。
【００１４】
ところで、本発明は、遊技島１の正面側Ｓ１と背面側Ｓ２のそれぞれに同一構造を構成し、それぞれに上述のような介装部材２５、２５を設けたものであるから、正面側Ｓ１と背面側Ｓ２の一方においては、介装部材２５を基枠４の上部フレーム７と下側取付部材２３の間に介装することにより、高寸法Ｈ１の設置高さとしてパチンコ台等の第１遊技台２を列設状に搭載し、正面側Ｓ１と背面側Ｓ２の他方においては、介装部材２５を上側枠６の下部フレーム１９と上側取付部材２４の間に介装することにより、低寸法Ｈ２の設置高さとしてパチンコ台等の第２遊技台３を列設状に搭載することが可能であり、上述したような複合的島を簡単容易に構築することができるという利点がある。
【００１５】
更に、本発明の実施形態によれば、基枠４の上部フレーム７と下側取付部材２３は、相互に貫通するボルト挿着孔２８、２９を長手方向に所定ピッチ間隔Ｐ１で設けている。従って、下側取付部材２３を上部フレーム７の上面に添設した状態で、孔２８、２９にボルト３３（４３）を挿通しナットを締着するという簡単な作業で、下側取付部材２３を上部フレーム７に着脱自在に固設することができる。同様に、上側枠６の下部フレーム１９と上側取付部材２４は、相互に貫通するボルト挿着孔３０、３１を長手方向に所定ピッチ間隔Ｐ２で設けている。従って、上側取付部材２４を下部フレーム１９の下面に添設した状態で、孔３０、３１にボルト３５（４５）を挿通しナットを締着するという簡単な作業で、上側取付部材２４を下部フレーム１９に着脱自在に固設することができる。そして、介装部材２５は、上下に貫通するボルト挿着孔３２を長手方向に所定ピッチ間隔Ｐ３で設けており、上記ボルト挿着孔のピッチ間隔Ｐ１、Ｐ２、Ｐ３が等しくなるように構成されているので、介装部材２５を上部フレーム７と上側取付部材２４の間に介装し、又は介装部材２５を下部フレーム１９と下側取付部材２３の間に介装するに際しても、それぞれ介装部材２５を介装したサンドイッチ状態で、相互に連通するボルト挿着孔に上述のボルト３３（４３）又はボルト３５（４５）を挿通しナットを締着するという簡単な作業で介装部材２５を取付けることができるという効果がある。
【発明を実施するための最良の形態】
【００１６】
以下図面に基づいて本発明の好ましい実施形態を詳述する。図１は、遊技島１の正面側Ｓ１と背面側Ｓ２の両方に何れもパチンコ台等の第１遊技台２を列状に搭載した状態を示し、図２は、遊技島１の正面側Ｓ１と背面側Ｓ２の両方に何れもパチスロ台等の第２遊技台３を列状に搭載した状態を示している。図示のように、パチンコ台等の第１遊技台２は、床面からの設置高さが高寸法Ｈ１となるように規格設計されており、パチスロ台等の第２遊技台３は、床面からの設置高さが前記高寸法Ｈ１よりも低い低寸法Ｈ２となるように規格設計されている。そこで、遊技島１は、第１遊技台２と第２遊技台３を搭載した状態で、それぞれ前記のような高寸法Ｈ１と低寸法Ｈ２での設置が可能となるように構成されている。ところで、現在メーカーから提供されているパチンコ台（第１遊技台２）とパチスロ台（第２遊技台３）は、前者の台高さ寸法ｈ１と後者の台高さ寸法ｈ２がほぼ等しく設計され製造されているが、前者の幅寸法Ｗ１に対して後者の幅寸法Ｗ２が大きい（Ｗ１＜Ｗ２）ものとして設計され製造されているのが通例である。
【００１７】
（遊技島の基本的枠組構成）
図３に示すように、遊技島１は、床面に設置した状態で水平方向に延びる基枠４と、基枠４の上方に支柱５を介して該基枠と平行に配置された上側枠６を備え、基枠４と上側枠６の間に位置して正面側Ｓ１と背面側Ｓ２に遊技台２又は３を背合わせ状態で水平方向に列を構成して搭載するように構成されている。
【００１８】
基枠４は、前記正面側Ｓ１の列と背面側Ｓ２の列を構成する遊技台２又は３のそれぞれの下面を支持する正面側上部フレーム７ａと背面側上部フレーム７ｂを平行に配置し、長手方向に所定間隔をあけて両フレーム７ａ、７ｂを連結する上部梁８を設けている。正面側上部フレーム７ａと背面側上部フレーム７ｂの下方には、正面側下部フレーム９ａと背面側下部フレーム９ｂが平行に配置され、両フレーム９ａ、９ｂを両端部において下部梁１０により連結すると共に、長手方向に所定間隔をあけて台座部材１１により連結している。更に、正面側の上部フレーム７ａと下部フレーム９ａを長手方向に所定間隔をあけて正面側支柱１２ａにより連結し、背面側の上部フレーム７ｂと下部フレーム９ｂを長手方向に所定間隔をあけて背面側支柱１２ａにより連結している。尚、前記台座部材１１の床面接地部にはアジャストボルト１３により上下方向位置を調整可能とした座片１４が設けられている（図７参照）。
【００１９】
図４及び図６に示すように、基枠４の内部には、正面側上部フレーム７ａと背面側上部フレーム７ｂの対向する内側面に開口両側縁を臨ませた断面溝形の遊技球貯留タンク本体１５が設けられており、該タンク本体１５を基枠４の長手方向に延設している。タンク本体１５の内部上方にはパチンコ台２から排出される使用済遊技球の受給樋１６が配置され、遊技球が受給樋１６を経てタンク本体１５に充填される。尚、タンク本体１５に充填された遊技球は、別設された洗浄機ないし研磨機を経て又は経ないで、後述する供給樋に送られ、景品球としてパチンコ台２に供給される。
【００２０】
基枠４の上方に上側枠６を支持する支柱５は、図４に示すように、第１支柱５ａと、第２支柱５ｂが準備されており、遊技島１にパチンコ台等の第１遊技台２を搭載するときには第１支柱５ａが使用され、遊技島１にパチスロ台等の第２遊技台３を搭載するときには第２支柱５ｂが使用される。図５及び図６は、遊技島１の正面側Ｓ１と背面側Ｓ２の両方にパチンコ台等の第１遊技台２を搭載する場合を例示しており、基枠４の上部梁８の中央から正面側の位置と背面側の位置に一対の第１支柱５ａが設けられる。第１支柱５ａは、角パイプ等の柱部１７を前記上部梁８と上側枠６の梁１８との間に介装され、柱部１７ａの下端に設けた舌片１７ｂを上部梁８の側壁にボルトを介して着脱自在に固着され、上端に設けた舌片１７ｃを梁１８の側壁にボルトを介して着脱自在に固着される。第２支柱５ｂの詳細は後述する。
【００２１】
上側枠６は、図３及び図４に示すように、遊技台２又は３の上面を支持する正面側下部フレーム１９ａと背面側下部フレーム１９ｂを備え、両フレームの上方にそれぞれ正面側上部フレーム２０ａと背面側上部フレーム２０ｂを配置し、正面側の下部フレーム１９ａと上部フレーム２０ａを長手方向に間隔をあけて配置した正面側支柱２１ａで連結すると共に、背面側の下部フレーム１９ｂと上部フレーム２０ｂを長手方向に間隔をあけて配置した背面側支柱２１ｂで連結している。そして、正面側下部フレーム１９ａと背面側下部フレーム１９ｂを長手方向に間隔をあけて前記梁１８により連結している。
【００２２】
図６に示すように、上側枠６の内部には、景品球をパチンコ台２に供給するための供給樋２２が配置される他、遊技台２又は３を作動するために必要なトランスその他の電気部品等や電線が配置される。
【００２３】
（遊技島における遊技台の取付構成）
上記枠組構成とされた遊技島１において、基枠４、支柱５、上側枠６は、それぞれ金属パイプ、金属板等のように金属製のものとして構成されている。そこで、図３及び図４に示すように、基枠４の上部フレーム７ａ、７ｂの各々の上面に着脱自在に固設される木製の下側取付部材２３と、上側枠６の下部フレーム１９ａ、１９ｂの各々の下面に着脱自在に固着される木製の上側取付部材２４と、上下寸法Ｈａを上述した第１遊技台２の設置高とされた高寸法Ｈ１と第２遊技台３の設置高とされた低寸法Ｈ２の差（Ｈ１−Ｈ２）となるように形成された介装部材２５が設けられ、これらの部材２３、２４、２５を介して遊技台２又は３が遊技島１に搭載される。尚、介装部材２５は、木製の角材を使用することができるが、金属その他の材質により形成しても良い。
【００２４】
下側取付部材２３と、上側取付部材２４と、介装部材２５は、何れも全長が基枠４の上部フレーム７ａ、７ｂ並びに上側枠６の下部フレーム１９ａ、１９ｂの全長とほぼ同じ長さに形成されている。この際、図３に示すように、下側取付部材２３を長手方向に分割した分割片２３ａ、２３ｂ、２３ｃにより構成し、上側取付部材２４を長手方向に分割した分割片２４ａ、２４ｂ、２４ｃにより構成することが好ましいが、分割個数は問わない。また、介装部材２５も長手方向に分割した分割片２５ａ、２５ｂ、２５ｃにより構成することができるが、分割されない１本の通し材により構成しても良い。
【００２５】
下側取付部材２３、２３は、基枠４の正面側上部フレーム７ａの上に載せられた状態で該正面側上部フレーム７ａから正面側に突出し、背面側上部フレーム７ｂに載せられた状態で該背面側上部フレーム７ｂから背面側に張出すテーブル部２６を該下側取付部材２３の側縁に沿って形成している。尚、下側取付部材２３は、第１支柱５ａを干渉しないように受入れる切欠部２７を形成している。
【００２６】
基枠４の上部フレーム７ａ、７ｂの上面に下側取付部材２３、２３を添設した状態で、それぞれ相互に貫通するボルト挿着孔２８、２９が形成されており、孔２８、２９は長手方向に所定ピッチ間隔Ｐ１をあけて配置され、分割片２３ａ、２３ｂ、２３ｃ毎に複数個が設けられている。
【００２７】
また、上側枠６の下部フレーム１９ａ、１９ｂの下面に上側取付部材２４、２４を添設した状態で、それぞれ相互に貫通するボルト挿着孔３０、３１が形成されており、孔３０、３１は長手方向に所定ピッチ間隔Ｐ２をあけて配置され、分割片２４ａ、２４ｂ、２４ｃ毎に複数個が設けられている。
【００２８】
これに対して、介装部材２５は、上下に貫通するボルト挿着孔３２を長手方向に所定ピッチ間隔Ｐ３をあけて形成しており、孔３２は分割片２５ａ、２５ｂ、２５ｃ毎に複数個が設けられている。
【００２９】
図４に示すように、下側取付部材２３を貫通するボルト挿着孔２９は、上面の開口部にボルト頭部を陥没させる径大部２９ａを形成し、上側取付部材２４を貫通するボルト挿着孔３１は、下面の開口部にボルト頭部を陥没させる径大部３１ａを形成している。
【００３０】
そこで、上記孔のピッチは、Ｐ１＝Ｐ２＝Ｐ３となるように設定されている。
【００３１】
（第１遊技台を搭載した遊技島の構築方法）
図５及び図６は、遊技島１の正面側Ｓ１と背面側Ｓ２の両方にパチンコ台等の第１遊技台２を搭載する場合を示している。図５に示すように、上側枠６は、第１支柱５ａを介して基枠４の上方位置に支持される。該第１支柱５ａの柱部１７が基枠４の上部梁８と上側枠６の梁１８との間に介装され、柱部１７ａの下端に設けた舌片１７ｂを上部梁８の側壁にボルトを介して着脱自在に固着され、上端に設けた舌片１７ｃを梁１８の側壁にボルトを介して着脱自在に固着される。遊技島１の水平方向に列設された第１支柱５ａ、５ａの間隔は、パチンコ台２の幅寸法Ｗ１に対応するか又は該幅寸法Ｗ１の整数倍に対応するように設定され、第１支柱５ａの取付位置に応じて基枠４の上部梁８、８の間隔と、上側枠６の梁１８、１８の間隔が設定されている。
【００３２】
基枠４の上部フレーム７ａ、７ｂの上面に介装部材２５、２５が載せられ、該介装部材２５、２５の上に下側取付部材２３、２３が載せられ、ボルト３３を下側取付部材２３の孔２９から介装部材２５の孔３２を通して上部フレーム７ａ、７ｂの孔２８に挿通し、上部フレーム７ａ、７ｂの下方からナット３４を締着する。この際、下側取付部材２３の切欠部２７が第１支柱５ａに嵌合される。ボルト３３の頭部は、孔２９の径大部２９ａに納められるので、下側取付部材２３の上面に突出することはない。これにより、上部フレーム７ａ、７ｂの上面に下側取付部材２３が介装部材２５を介してサンドイッチ状に固設される。この状態で、床面から下側取付部材２３の上面までの高さは、第１遊技台２の設置高さとされた高寸法Ｈ１に一致する。尚、図５は、正面側Ｓ１にだけ介装部材２５と下側取付部材２３を固設した状態を示すが、背面側Ｓ２にも同様に介装部材２５と下側取付部材２３が固設される。
【００３３】
上側枠６の下部フレーム１９ａ、１９ａの下面には、上側取付部材２４、２４が添設され、ボルト３５を上側取付部材２４の孔３１から下部フレーム１９ａ、１９ｂの孔３０に挿通し、下部フレーム１９ａ、１９ｂの上方からナット３６を締着する。ボルト３５の頭部は、孔３１の径大部３１ａに納められるので、上側取付部材２４の下面に突出することはない。これにより、下部フレーム１９ａ、１９ｂの下面に上側取付部材２４、２４が固設される。尚、図５は、正面側Ｓ１にだけ上側取付部材２４を固設した状態を示すが、背面側Ｓ２にも同様に上側取付部材２４が固設される。この状態で、下側取付部材２３と上側取付部材２４の間に形成される空間の高さは、パチンコ台２の台高さ寸法ｈ１にほぼ一致する。
【００３４】
図６に示すように、基枠４の上部フレーム７ａ、７ｂに取付けられた介装部材２５、２５は、該介装部材２５、２５の内側面によりタンク本体１５の開口縁に連設される延長タンク壁３７を形成する。これによりタンク容量がタンク本体１５の開口縁を超えて延長タンク壁３７、３７の間の空間まで拡張される。
【００３５】
パチンコ台等の第１遊技台２は、公知のものであり、背部木枠３８に装着されている。そこで、背部木枠３８を下側取付部材２３と上側取付部材２４の間に挿入し、背部木枠３８の下枠３８ａを下側取付部材２３に対して釘やビス等の固着具３９を打ちつけることにより固着し、背部木枠３８の上枠３８ｂを上側取付部材２４に対して釘やビス等の固着具４０を打ちつけることにより固着する。このようにして遊技島１の正面側Ｓ１と背面側Ｓ２にパチンコ台等の第１遊技台２が背合わせ状態で水平方向に列を構成して搭載される。
【００３６】
尚、基枠４の正面側Ｓ１と背面側Ｓ２はパネル等の化粧材４１により被われ、上側枠６の正面側Ｓ１と背面側Ｓ２は化粧仕上げした点検パネル４２により被われる。その他、遊技島１の外側面は、任意の方法で化粧される。
【００３７】
（第２遊技台を搭載した遊技島の構築方法）
図７及び図８は、遊技島１の正面側Ｓ１と背面側Ｓ２の両方にパチスロ台等の第２遊技台３を搭載する場合を示している。図７に示すように、基枠４と上側枠６の長手方向両端部には、第１支柱５ａが設けられ、これにより上側枠６を基枠４の上方位置に支持している。
【００３８】
基枠４の上部フレーム７ａ、７ｂの上面に下側取付部材２３、２３が載せられ、ボルト４３を下側取付部材２３の孔２９から上部フレーム７ａ、７ｂの孔２８に挿通し、上部フレーム７ａ、７ｂの下方からナット４４を締着する。この際、下側取付部材２３の両端に形成した切欠部２７が第１支柱５ａに嵌合される。ボルト４３の頭部は、孔２９の径大部２９ａに納められるので、下側取付部材２３の上面に突出することはない。これにより、上部フレーム７ａ、７ｂの上面に下側取付部材２３が固設される。この状態で、床面から下側取付部材２３の上面までの高さは、第２遊技台３の設置高さとされた高寸法Ｈ２に一致する。尚、図７は、正面側Ｓ１にだけ下側取付部材２３を固設した状態を示すが、背面側Ｓ２にも同様に下側取付部材２３が固設される。
【００３９】
上側枠６の下部フレーム１９ａ、１９ａの下面には、介装部材２５が添設され、該介装部材２５の下面に上側取付部材２４、２４が添設され、ボルト４５を上側取付部材２４の孔３１から介装部材２５を通して下部フレーム１９ａ、１９ｂの孔３０に挿通し、下部フレーム１９ａ、１９ｂの上方からナット４６を締着する。ボルト４５の頭部は、孔３１の径大部３１ａに納められるので、上側取付部材２４の下面に突出することはない。これにより、下部フレーム１９ａ、１９ｂの下面に上側取付部材２４、２４が介装部材２５を介してサンドイッチ状に固設される。尚、図７は、正面側Ｓ１にだけ介装部材２５と上側取付部材２４を固設した状態を示すが、背面側Ｓ２にも同様に介装部材２５と上側取付部材２４が固設される。この状態で、下側取付部材２３と上側取付部材２４の間に形成される空間の高さは、パチスロ台３の台高さ寸法ｈ２にほぼ一致する。
【００４０】
下側取付部材２３と上側取付部材２４の間には、第２支柱５ｂが介装される。第２支柱５ｂは、例えば断面クランク状に折曲された金属板から成る柱部４７の上下端にそれぞれ上片４７ａと下片４７ｂを備えている。上片４７ａは、水平板部４８から折曲起立されたガイド部４９を備え、上側取付部材２４の後部の下側角縁部を水平部４８とガイド部４９により抱持し、水平部４８とガイド部４９をそれぞれ上側取付部材２４に対して釘やビス等の固着具により固着される。下片４７ｂは、下側取付部材２３の上面に載置され、釘やビス等の固着具により固着される。
遊技島１の両端に設けられた第１支柱５ａ、５ａと中間に設けられた第５支柱５ｂ、５ｂの相互の間隔は、パチスロ台３の幅寸法Ｗ１に対応するか又は該幅寸法Ｗ１の整数倍に対応するように設定されている。
【００４１】
パチスロ台等の第２遊技台３は、公知のものであり、背部木枠５０に装着されている。そこで、背部木枠５０を下側取付部材２３と上側取付部材２４の間に挿入し、背部木枠５０の下枠５０ａを下側取付部材２３に対して釘やビス等の固着具５１を打ちつけることにより固着し、背部木枠５０の上枠５０ｂを上側取付部材２４に対して釘やビス等の固着具５２を打ちつけることにより固着する。このようにして遊技島１の正面側Ｓ１と背面側Ｓ２にパチスロ台等の第２遊技台３が背合わせ状態で水平方向に列を構成して搭載される。
【００４２】
基枠４の正面側Ｓ１と背面側Ｓ２はパネル等の化粧材４１により被われ、上側枠６の正面側Ｓ１と背面側Ｓ２は化粧仕上げした点検パネル４２により被われる。その他、遊技島１の外側面は、任意の方法で化粧される。この点は、図５及び図６に基づいて説明したパチンコ台２を搭載した場合の遊技島１と同様である。
【００４３】
（遊技島の互換性）
図５及び図６に基づいて説明したパチンコ台等の第１遊技台２を搭載した遊技島１と、図７及び図８に基づいて説明したパチスロ台等の第２遊技台を搭載した遊技島１は、上述のように、介装部材２５の取付位置が異なり、中間の支柱５に関して第１支柱５ａと第２支柱５ｂの選択が異なる他は、大きな相違を有しない。従って、遊技島１は、パチンコホール等の需要者の要望に応じて、パチンコ台等の第１遊技台２を搭載する場合と、パチスロ台等の第２遊技台を搭載する場合との間において互換性を有するものとなる。
【００４４】
（正面側と背面側に異種の遊技台を搭載した複合的島の構築方法）
上述のように、パチンコホールによっては、１つの遊技島に関して、正面側と背面側のうち、一方の列にはパチンコ台等の第１遊技台を搭載し、他方の列にはパチスロ台等の第２遊技台を搭載した複合的島を望むときがある。図９は、本発明の遊技島１により、正面側Ｓ１にパチスロ台等の第２遊技台３を搭載し、背面側Ｓ２にパチンコ台等の第１遊技台２を搭載した場合を例示している。
【００４５】
ところで、パチンコホールは、営業上、しばしば遊技台の入れ換えが行われており、その際、複数の遊技島のレイアウトを考慮して、今までパチンコ台等の第１遊技台を搭載していた既設の島を、パチスロ台等の第２遊技台を搭載した島に変更したり、反対に、今までパチスロ台等の第２遊技台を搭載していた既設の島を、パチンコ台等の第１遊技台を搭載した島に変更したりすることが行われる。この点に関して、従来の遊技島は、パチンコ台専用のものとして構築され又はパチスロ台専用のものとして構築されているので、既設の島を解体し、改めて新たな島を構築しなければならないが、本発明によれば、既設の遊技島１を解体する必要はなく、介装部材２５の取付位置を変更し、中間の支柱５に関して第１支柱５ａと第２支柱５ｂの選択を変更するだけで、今までパチンコ台等の第１遊技台２を搭載していた既設の遊技島１を、パチスロ台等の第２遊技台３を搭載した遊技島１に変更したり、反対に、今までパチスロ台等の第２遊技台３を搭載していた既設の遊技島１を、パチンコ台等の第１遊技台２を搭載した遊技島１に変更したりすることができる。
【００４６】
この際、上述のようにパチンコ台等の第１遊技台２及びパチスロ台等の第２遊技台３は、何れも背部木枠３８、５０を釘やビス等の固着具を打ちつけることにより下側取付部材２３と上側取付部材２４に固着されるものであるため、上述のような遊技台の取り換えを何度も繰り返すと、多数の釘孔等の孔が形成され、その後、更に遊技台を取り換える際に使用に耐えなくなる。この点に関して、下側取付部材２３を分割片２３ａ、２３ｂ、２３ｃにより構成し、上側取付部材２４を分割片２４ａ、２４ｂ、２４ｃにより構成しておけば、継続使用可能な分割片をそのまま再利用しながら、使用に耐えなくなった分割片だけを新たな分割片と交換すれば足りるので、経済的となる。従って、釘等を打ちつけられることのない介装部材２５は、分割片２５ａ、２５ｂ、２５ｃのように分割せずに１本の通し材により構成しても良い。
【００４７】
（点検パネルの構成）
図１０は、上述した点検パネル４２の好ましい実施例を示している。上側枠６は、従来の遊技島よりも高さ寸法を低く形成されている。そこで、上側枠６の内部に装備した供給樋２２や電気部品及び配線等が外部から視認できないようにするため、点検パネル４２の上下寸法が上側枠６の上下寸法よりも大きく形成されている。従って、点検パネル４２は、上側枠６の外面を被う下部５３と、上側枠６の上方に延びる上部５４を構成する。尚、上部５４の高さ寸法よりも下部５３の高さ寸法の方が大きくなるように形成するのが好ましい。上側枠６の上部フレーム２０ａ、２０ｂには内外方向に向かうブラケット５５が設けられ、前記内外方向に向く長孔５６をブラケット５５の外向き部分に形成し、該長孔５６の延長方向に向く長溝５７をブラケット５５の内向き部分に形成しており、長溝５７の両端のうち長孔５６に近い方の端部に該長溝５７に連通する上向きの開口５８を形成している。
【００４８】
点検パネル４２は、ブラケット５５の長孔５６に摺動自在かつ回動自在に軸支される枢軸５９と、該枢軸５９の上方で平行に配置された固定軸６０を設けている。従って、点検パネル４２は、図１０（Ａ）の状態から図１０（Ｂ）に示すように枢軸５９を支点として回動自在とされている。
【００４９】
以上の構成によれば、上側枠６の内部に装備した供給樋２２や電気部品及び配線等を点検する必要があるときは、図１０（Ｂ）に示すように点検パネル４２の下端を持ち上げることにより回動すると、点検パネル４２がほぼ水平姿勢とされた状態で、固定軸６０が開口５８を介して長溝５７に進入する。そこで、図１０（Ｃ）に矢印Ｆで示すように点検パネル４２を上側枠６の内方に押すと、枢軸５９を長孔５６に沿って摺動すると共に、固定軸６０を開口５８から外れた位置に向けて長溝５７に沿って摺動することにより、点検パネル４２が内方に移動する。この状態で、固定軸６０が長溝５７の開口５８から外れた個所に位置しているので、点検パネル４２が元の状態に回動して戻ることはない。従って、上側枠６の下部フレーム１９ａと上部フレーム１９ｂの間に開放された空間を介して内部の点検が可能になる。
【００５０】
点検が終わると、図１０（Ｃ）に矢印Ｒで示すように点検パネル４２を手指で摘んでほぼ水平姿勢から上側枠６の外方に引張ると、枢軸５９を長孔５６に沿って摺動すると共に、固定軸６０を開口５８に向けて長溝５７に沿って摺動することにより、点検パネル４２が外方に移動する。固定軸６０が開口５８に臨んだ状態で手指を離すと、下部５３の自重により、点検パネル４２は、枢軸５９を支点として図１０（Ａ）に示す元の位置に回動する。
【図面の簡単な説明】
【００５１】
【図１】本発明の遊技島にパチンコ台等の第１遊技台を搭載した状態を正面側から示す斜視図である。
【図２】本発明の遊技島にパチスロ台等の第２遊技台を搭載した状態を正面側から示す斜視図である。
【図３】本発明の遊技島の実施形態を示しており、枠組構造の全体を示す斜視図である。
【図４】枠組構造の基本的構成を部分的に示す斜視図である。
【図５】パチンコ台等の第１遊技台を搭載するように介装部材を配置した枠組構造を部分的に示す斜視図である。
【図６】遊技島の正面側と背面側にパチンコ台等の第１遊技台を搭載した状態を示す断面図である。
【図７】パチスロ台等の第２遊技台を搭載するように介装部材を配置した枠組構造を部分的に示す斜視図である。
【図８】遊技島の正面側と背面側にパチスロ台等の第２遊技台を搭載した状態を示す断面図である。
【図９】遊技島の正面側にパチスロ台等の第２遊技台を搭載し、背面側にパチンコ台等の第１遊技台を搭載した状態を示す断面図である。
【図１０】点検パネルの実施例を示し、（Ａ）は点検パネルを閉じた状態を示す断面図、（Ｂ）は点検パネルを開放した状態を示す断面図、（Ｃ）は開放された点検パネルをロックした状態を示す断面図である。
【符号の説明】
【００５２】
１  遊技島
２  パチンコ台等の第１遊技台
３  パチスロ台等の第２遊技台
４  基枠
５  支柱
５ａ  第１支柱
５ｂ  第２支柱
６  上側枠
７  基枠の上部フレーム
７ａ  正面側上部フレーム
７ｂ  背面側上部フレーム
８  基枠の上部梁
１５  タンク本体
１８  上側枠の梁
１９  上側枠の下部フレーム
１９ａ  正面側下部フレーム
１９ｂ  背面側下部フレーム
２３  下側取付部材
２４  上側取付部材
２５  介装部材
２６  下側取付部材のテーブル部
２８  基枠の上部フレームの孔
２９  下側取付部材の孔
２９ａ  径大部
３０  上側枠の下部フレームの孔
３１  上側取付部材の孔
３１ａ  径大部
３２  介装部材の孔
３３、３５、４３、４５  ボルト
３７  延長タンク壁
３８  第１遊技台の背部木枠
３９、４０  固着具
４２  点検パネル
５０  第２遊技台の背部木枠
５１、５２  固着具
【図１】
2008132132.tif 000003
【図２】
2008132132.tif 000004
【図３】
2008132132.tif 000005
【図４】
2008132132.tif 000006
【図５】
2008132132.tif 000007
【図６】
2008132132.tif 000008
【図７】
2008132132.tif 000009
【図８】
2008132132.tif 000010
【図９】
2008132132.tif 000011
【図１０】
2008132132.tif 000012